Podtech/llm-jp-corpus-v4-ja_patent huggingface dataset:
【手続補正書】
【提出日】令和3年9月13日(2021.9.13)
【手続補正１】
【補正対象書類名】明細書
【補正対象項目名】００４２
【補正方法】変更
【補正の内容】
【００４２】
本実施例１のコネクタを構成する雌側コネクタＦは、第１導体４７と第２導体６６が挿入可能な雌側ハウジング１０と、雌側ハウジング１０に収容される接続装置３０とを有する。接続装置３０は、押圧部材３１と、可動側導通部材３５と、固定側導通部材４０とを有する。可動側導通部材３５は、雌側ハウジング１０内に収容され、第１導体４７及び第２導体６６に対して電気的に接触可能である。固定側導通部材４０も、雌側ハウジング１０内に収容され、第１導体４７及び第２導体６６に対して電気的に接触可能である。押圧部材３１は、弾性を有する絶縁性材料からなり、雌側ハウジング１０内に収容されている。押圧部材３１は、可動側導通部材３５と雌側ハウジング１０に挿入された第１導体４７及び第２導体６６に対して接触方向の押圧力を付与する。押圧部材３１は、固定側導通部材４０と雌側ハウジング１０に挿入された第１導体４７及び第２導体６６に対して接触方向の押圧力を付与する。
【手続補正２】
【補正対象書類名】明細書
【補正対象項目名】００５９
【補正方法】変更
【補正の内容】
【００５９】
［実施例７］
本開示を具体化した実施例７を、図１５を参照して説明する。本実施例７では、複数の可動側導通部材８４を繋ぎ部８５を介して連結することによって、ジョイントターミナル８６を構成している。押圧部材７７の上面には、複数のジョイントターミナル８６と、１つの可動側導通部材８４とが固着されている。押圧部材７７は、実施例５，６と同一構成のものである。複数のジョイントターミナル８６と１つの可動側導通部材８４と１つの押圧部材７７とによって、押圧モジュール８７が構成されている。
【手続補正３】
【補正対象書類名】明細書
【補正対象項目名】０１０１
【補正方法】変更
【補正の内容】
【０１０１】
Ｆ…雌側コネクタ
Ｍ…雄側コネクタ
１０…雌側ハウジング
１１…ハウジング本体
１２…フロント部材
１３…キャビティ
１４…接続部（支持部）
１５…位置決め部
１６…溝部
１７…ガイド部
１８…挿通部
１９…抜止め突起
２０…保持空間
２１…前壁部
２２…周壁部
２３…ロックアーム
２４…挿入孔
３０…接続装置
３１…押圧部材
３２…収容凹部
３５…可動側導通部材（第１導通部）
３６…第１接触部
３７…第２接触部
３８…連結部
３９…屈曲端部
４０…固定側導通部材（第２導通部）
４１…取付部
４２…第１接点部
４３…第２接点部
４５…第１電線モジュール
４６…第１被覆電線
４７…第１導体（導電部材）
４７Ｅ…第１接続端部
４８…第１絶縁被覆
４９…第１保持部材（保持部材）
５０…係止突起
６０…雄側ハウジング
６１…ハウジング部
６２…フード部
６３…ロック部
６４…第２電線モジュール
６５…第２被覆電線
６６…第２導体（導電部材）
６６Ｅ…第２接続端部
６７…第２絶縁被覆
６８…第２保持部材（保持部材）
７０…可動側導通部材（第１導通部）
７１…接点部
７２…接続装置
７３…第２押圧部材
７４…第２可動側導通部材（第２導通部）
７５…ジョイントターミナル
７６…繋ぎ部
７７…押圧部材
７８…可動側導通部材（第１導通部）
７９…押圧モジュール
８０…可動側導通部材（第１導通部）
８１…繋ぎ部
８２…ジョイントターミナル
８３…押圧モジュール
８４…可動側導通部材（第１導通部）
８５…繋ぎ部
８６…ジョイントターミナル
８７…押圧モジュール
１１０…接続装置
１１０Ａ…接続装置
１１０Ｂ…接続装置
１１１…導通部
１１１Ａ…導通部
１１１Ｂ…導通部
１１２…接触部
１１３…被保持部
１２０…押圧部材
１２１…対向部位
１２２…リップ
１２３Ａ…第１進入端部
１２３Ｂ…第２進入端部
１２４…進入部
１３０…モールド成形体
１５１…相手コネクタハウジング
１５２…ハウジング部
１５３…フード部
１５４…ロック突部
１６０…コネクタ
１６１…コネクタハウジング
１６２…キャビティ
１６３…ハウジング本体
１６４…フロント部材
１６５…通し孔
１６６…凹部
１６７…段差部
１６８…中継孔
１６９…収容孔
１７１…隔壁
１７２…拡幅部
１７３…ロック部
１７４…前壁部
１７５…周壁部
１７６…ロックアーム
１７７…挿通孔
１７８…突出部
１７９…受け溝
１８０Ａ…第１電線
１８０Ｂ…第２電線
１８１…導電部材
１８２…絶縁被覆
１９０…保持部材
１９１…被ロック部
１９２…リブ
１９３…中間皮剥ぎ部
１９４…隣接部
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに一端側が保持される１以上の電線及び１以上の端子を有する配線部と、
前記ハウジングに保持される形態で前記ハウジングに取り付けられる蓄電素子と、
を備え、
前記蓄電素子は、前記配線部を介して供給される電力により充電され、
前記配線部を介して放電するコネクタ。
【請求項２】
前記蓄電素子を放電する放電動作を行う放電回路と、
前記放電回路の前記放電動作を制御する制御回路と、
を備える請求項１に記載のコネクタ。
【請求項３】
前記配線部の少なくとも一部の前記電線又は前記端子は、バックアップ対象の負荷への電力供給経路の一部として構成されるものであり、
前記蓄電素子は、前記電力供給経路を介して前記負荷への放電を行う請求項１又は請求項２に記載のコネクタ。
【請求項４】
前記ハウジングは、複数の接続部を有し、
複数の前記接続部のそれぞれが、複数の前記負荷への電力路を構成する複数の被接続部のそれぞれに対して着脱自在に接続される構成をなし
前記蓄電素子は、各々の前記接続部に設けられた各々の前記配線部を介して各々の前記負荷へと放電を行う請求項３に記載のコネクタ。
【請求項５】
前記配線部は、前記ハウジングに一端側が保持されるとともに前記ハウジングから引き出される前記電線を１以上有し、
前記蓄電素子は、前記ハウジングの外面部又は内面部に対して固定され、
前記蓄電素子と前記ハウジングと前記電線とが一体的に構成され、
前記ハウジングは、前記ハウジングよりも前記負荷側の電力路を構成する相手側コネクタに対して着脱自在とされている請求項３又は請求項４に記載のコネクタ。
【手続補正２】
【補正対象書類名】明細書
【補正対象項目名】０００４
【補正方法】変更
【補正の内容】
【０００４】
本開示のコネクタは、
ハウジングと、
前記ハウジングに一端側が保持される１以上の電線及び１以上の端子を有する配線部と、
前記ハウジングに保持される形態で前記ハウジングに取り付けられる蓄電素子と、
を備え、
前記蓄電素子は、前記配線部を介して供給される電力により充電され、
前記配線部を介して放電する。
【手続補正３】
【補正対象書類名】明細書
【補正対象項目名】０００７
【補正方法】変更
【補正の内容】
【０００７】
［本開示の実施形態の説明］
最初に本開示の実施態様を列記して説明する。
（１）本開示のコネクタは、ハウジングと、ハウジングに一端部が保持されハウジングから引き出された１以上の電線及び１以上の端子を有する配線部と、ハウジングに保持される形態でハウジングに取り付けられる蓄電素子とを備える構成をとり得る。そして、蓄電素子は、配線部を介して供給される電力により充電され、配線部を介して放電するように構成し得る。
このコネクタは、ハウジングに蓄電素子が保持される形態でハウジングと蓄電素子とを一体的に構成することができるため、蓄電素子を保持するための専用構造を削減することができ、ハウジングや電線などのコネクタ関連部品と蓄電素子との間の物理的接続を簡素化することができる。しかも、ハウジングに保持される蓄電素子は、ハウジングに組み込まれた配線部を介して充電及び放電することができるため、蓄電素子からコネクタまでの配線を削減することができる。よって、コネクタ関連部品と蓄電素子との間の電気的接続をも簡素化することができる。
【手続補正書】
【提出日】令和3年10月25日(2021.10.25)
【手続補正１】
【補正対象書類名】明細書
【補正対象項目名】０００９
【補正方法】変更
【補正の内容】
【０００９】
上記目的を達成するためになされた本発明にかかる石英ガラスルツボ溶融用カーボン電極は、分解可能な石英ガラスルツボ溶融用カーボン電極において、分解されるカーボン電極の内の先端側の部材である先端部と、前記先端部が着脱可能に取り付けられる、分解されるカーボン電極の内の後端側の部材である基部とを備え、前記基部は、２つ以上の部材を一体化して形成することなく、１つの部材で形成されたものであって、前記先端部の抵抗値が基部の抵抗値よりも大きく、かつ、先端部の抵抗値が基部の抵抗値の１倍を越えて２倍以下の範囲にあることを特徴としている。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
分解可能な石英ガラスルツボ溶融用カーボン電極において、
分解されるカーボン電極の内の先端側の部材である先端部と、前記先端部が着脱可能に取り付けられる、分解されるカーボン電極の内の後端側の部材である基部とを備え、
前記基部は、２つ以上の部材を一体化して形成することなく、１つの部材で形成されたものであって、
前記先端部の抵抗値が基部の抵抗値よりも大きく、かつ、先端部の抵抗値が基部の抵抗値の１倍を越えて２倍以下の範囲にあることを特徴とする石英ガラスルツボ溶融用カーボン電極。
【請求項２】
前記先端部、前記基部の固有抵抗値が５．０μΩｍ以上１０．０μΩｍ以下であることを特徴とする請求項１に記載の石英ガラスルツボ溶融用カーボン電極。
【請求項３】
請求項１または２に記載された石英ガラスルツボ溶融用カーボン電極を用いたことを特徴とする石英ガラスルツボ製造装置。
【請求項４】
請求項１または２に記載の石英ガラスルツボ溶融用カーボン電極を用い、回転モールド法により石英ガラスルツボを製造することを特徴とする石英ガラスルツボの製造方法。
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
薬剤容器を保持する容器保持部および、注射器を保持して当該注射器を操作する注射器操作部を有する本体部と、患者ごと又は施用ごとに薬剤容器、注射器および輸液バッグが収容される調整コンテナが配置される供給部と、を備える混注装置であって、
上記本体部と上記供給部とが連通開口を通じて連通されており、上記供給部内の上記調整コンテナが上記連通開口を通じて上記本体部側に供給されることを特徴とする混注装置。
【請求項２】
薬剤容器を保持する容器保持部および、注射器を保持して当該注射器を操作する注射器操作部を有する本体部と、患者ごと又は施用ごとに薬剤容器、注射器および輸液バッグが収容される調整コンテナがストックされるストッカーと、を備える混注装置であって、
上記本体部と上記ストッカーとが連通開口を通じて連通されており、上記ストッカー内の上記調整コンテナが上記連通開口を通じて上記本体部側に供給されることを特徴とする混注装置。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
判定を実行することが可能な判定手段と、
その判定手段の判定結果を示すための識別情報を表示可能な第１表示手段と、
その第１表示手段に表示される識別情報の動的表示態様を決定する動的表示態様決定手段と、
前記第１表示手段とは異なる第２表示手段と、
その第２表示手段の表示面を視認可能に覆い、遊技者により押下操作をすることが可能なカバー体と、
前記識別情報の動的表示が実行されることに基づいて、前記カバー体を押下操作することで表示態様が可変する押下表示態様の選択をする押下表示態様選択手段と、
その押下表示態様選択手段により押下表示態様が選択されたことに基づいて、前記第１表示手段に表示される識別情報の動的表示態様に関する表示態様を前記第２表示手段にも表示させる第２表示制御手段と、
前記カバー体が押下操作されて押下位置へと移動した場合に、遊技者のタッチによる操作を検出することが可能な操作検出手段と、
その操作検出手段により前記操作が検出されたことに基づいて、前記第２表示手段に表示される表示態様を可変させる操作可変手段と、を有するものであることを特徴とする遊技機。
【手続補正２】
【補正対象書類名】明細書
【補正対象項目名】０００１
【補正方法】変更
【補正の内容】
【０００１】
本発明は、パチンコ機に代表される遊技機に関するものである。
【手続補正３】
【補正対象書類名】明細書
【補正対象項目名】０００２
【補正方法】変更
【補正の内容】
【０００２】
従来より、始動口への遊技球の入賞に伴って抽選を行い、その抽選結果に応じた変動演出や当たり演出を、液晶画面上に表示するパチンコ機が知られている。かかる演出では、遊技者に期待感を持たせるための演出や、遊技者の遊技への参加意欲を高めるための演出など、様々なパターンの演出が実行され、遊技の興趣向上が図られている。この種のパチンコ機の中には、遊技機に遊技者が操作可能な操作手段（スイッチ等）を設けて遊技者がその操作手段を操作することにより遊技の演出等を変化させる遊技機が提案されている。
【手続補正４】
【補正対象書類名】明細書
【補正対象項目名】０００５
【補正方法】変更
【補正の内容】
【０００５】
この種のパチンコ機において、遊技者が操作手段を操作することに夢中になり、表示される演出を見逃してしまい、遊技が困難になるという問題点があった。
【手続補正５】
【補正対象書類名】明細書
【補正対象項目名】０００６
【補正方法】変更
【補正の内容】
【０００６】
本発明は、上記例示した問題点等を解決するためになされたものであり、遊技者が遊技し易い遊技機を提供することを目的としている。
【手続補正６】
【補正対象書類名】明細書
【補正対象項目名】０００７
【補正方法】変更
【補正の内容】
【０００７】
この目的を達成するために請求項１記載の遊技機は、判定を実行することが可能な判定手段と、その判定手段の判定結果を示すための識別情報を表示可能な第１表示手段と、その第１表示手段に表示される識別情報の動的表示態様を決定する動的表示態様決定手段と、前記第１表示手段とは異なる第２表示手段と、その第２表示手段の表示面を視認可能に覆い、遊技者により押下操作をすることが可能なカバー体と、前記識別情報の動的表示が実行されることに基づいて、前記カバー体を押下操作することで表示態様が可変する押下表示態様の選択をする押下表示態様選択手段と、その押下表示態様選択手段により押下表示態様が選択されたことに基づいて、前記第１表示手段に表示される識別情報の動的表示態様に関する表示態様を前記第２表示手段にも表示させる第２表示制御手段と、前記カバー体が押下操作されて押下位置へと移動した場合に、遊技者のタッチによる操作を検出することが可能な操作検出手段と、その操作検出手段により前記操作が検出されたことに基づいて、前記第２表示手段に表示される表示態様を可変させる操作可変手段と、を有するものである。
【手続補正７】
【補正対象書類名】明細書
【補正対象項目名】０００９
【補正方法】変更
【補正の内容】
【０００９】
請求項１記載の遊技機によれば、判定を実行することが可能な判定手段と、その判定手段の判定結果を示すための識別情報を表示可能な第１表示手段と、その第１表示手段に表示される識別情報の動的表示態様を決定する動的表示態様決定手段と、前記第１表示手段とは異なる第２表示手段と、その第２表示手段の表示面を視認可能に覆い、遊技者により押下操作をすることが可能なカバー体と、前記識別情報の動的表示が実行されることに基づいて、前記カバー体を押下操作することで表示態様が可変する押下表示態様の選択をする押下表示態様選択手段と、その押下表示態様選択手段により押下表示態様が選択されたことに基づいて、前記第１表示手段に表示される識別情報の動的表示態様に関する表示態様を前記第２表示手段にも表示させる第２表示制御手段と、前記カバー体が押下操作されて押下位置へと移動した場合に、遊技者のタッチによる操作を検出することが可能な操作検出手段と、その操作検出手段により前記操作が検出されたことに基づいて、前記第２表示手段に表示される表示態様を可変させる操作可変手段と、を有するものである。
【手続補正８】
【補正対象書類名】明細書
【補正対象項目名】００１０
【補正方法】変更
【補正の内容】
【００１０】
よって、遊技者がより遊技を容易に行うことができるという効果がある。
【手続補正９】
【補正対象書類名】明細書
【補正対象項目名】０６００
【補正方法】変更
【補正の内容】
【０６００】
１０                  パチンコ機（遊技機）
８１                  第３図柄表示装置（第１表示手段）
１１３                音声ランプ制御装置（第２表示制御手段）
１１４ 制御表示装置（第１表示制御手段）
７０１ カバー体（カバー体）
７０２ タッチパネル（第２表示手段）
Ｓ３０５              当否判定手段
Ｓ３０７，Ｓ３０９ 動的表示態様決定手段
Ｓ１８２４ 押下表示態様選択手段
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
横向きに配置された、前面から洗濯物が投入されるドラムと、
前記ドラムを収容し、横向きに配置された外胴と、
前記ドラムを回転させる回転駆動部と、
前記ドラムの洗濯物投入部を覆う開閉扉と、
前記横向き外胴の後方頂部に接続される帯電微粒子発生部であって、前記後方頂部から前記外胴およびドラムの下部に向けて帯電微粒子を供給する帯電微粒子発生部と、
前記回転駆動部と前記帯電微粒子発生部を制御する制御部と、
を備えるランドリー装置。
【手続補正２】
【補正対象書類名】明細書
【補正対象項目名】０００６
【補正方法】変更
【補正の内容】
【０００６】
実施形態のランドリー装置は、横向きに配置された、前面から洗濯物が投入されるドラムと、前記ドラムを収容し、横向きに配置された外胴と、前記ドラムを回転させる回転駆動部と、前記ドラムの洗濯物投入部を覆う開閉扉と、前記横向き外胴の後方頂部に接続される帯電微粒子発生部であって、前記後方頂部から前記外胴およびドラムの下部に向けて帯電微粒子を供給する帯電微粒子発生部と、前記回転駆動部と前記帯電微粒子発生部を制御する制御部とを備えていることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
人の手の指先の爪の湾曲した表面に沿って湾曲された裏面を有する台座と、
前記台座の前記裏面に接着される一方の面及び前記爪の前記表面に接着される他方の面を有する両面テープと、
前記台座の前記裏面に並行対向する湾曲された表面上に前記台座の前記表面の全面に亘って固設された裏面を有する第１接着剤と、
前記第１接着剤の前記裏面に並行対向する表面上に固設された底面を有する主宝石と、
前記第１接着剤の前記表面及び前記主宝石の側面に固設されて前記第１接着剤の前記表面を全面的に被覆する第２接着剤と
を備えており、
前記主宝石の前記底面に対向する上面は露出されており、
前記両面テープの形状及び寸法は、前記台座の前記裏面の形状・寸法・曲率に合わせて設定されており、
前記台座、前記第１接着剤、前記主宝石及び前記第２接着剤は、前記両面テープの前記他方の面と前記爪の前記表面との接着を介して、一体的に、自在に前記爪の前記表面に取り付けられると共に自在に前記爪の前記表面から取り外されて保管される
ことを特徴とするネイル用アクセサリー。
【請求項２】
請求項１に記載のネイル用アクセサリーであって、
前記第１接着剤の前記表面の内で前記主宝石の周辺に位置する表面部分上に固設された底面及び前記底面に対向し且つ露出している上面を有する、少なくとも一つの副宝石を更に備えており、
前記第２接着剤は、前記副宝石の側面に固設されて前記主宝石と前記副宝石との隙間部分をも埋め尽くしており、
前記台座、前記第１接着剤、前記主宝石、前記副宝石及び前記第２接着剤は、前記両面テープの前記他方の面と前記爪の前記表面との接着を介して、一体的に、自在に前記爪の前記表面に取り付けられると共に自在に前記爪の前記表面から取り外されて保管される
ことを特徴とするネイル用アクセサリー。
【請求項３】
台座の、Ｒ状の湾曲面を成す表面上に全面に亘って塗布されたジェル状のネイル液の硬化により前記台座の前記表面上に固設されて成る底面を有する複数の宝石と、
前記複数の宝石同士の各隙間を埋め尽くすと共に、硬化後の前記ジェル状のネイル液の第１接着剤を全面的に被覆する第２接着剤と、
前記台座の前記表面に対向する、前記Ｒ状の湾曲面を成す前記台座の裏面に接着される一方の面及び前記Ｒ状の湾曲面を成す人の自爪の表面に接着される他方の面を有する両面テープと
を備えると共に、
前記複数の宝石の各々の前記底面に対向する上面は露出しており、
前記台座、前記第１接着剤、前記複数の宝石及び前記第２接着剤は、前記両面テープの前記他方の面と前記自爪の前記表面との接着を介して、一体的に、自在に前記自爪の前記表面に取り付けられると共に自在に前記自爪の前記表面から取り外されて保管される
ことを特徴とするネイル用アクセサリー。
【請求項４】
人の手の指先の爪の湾曲した表面に沿って湾曲された裏面を有する台座と、
前記台座の前記裏面に並行対向する湾曲された表面上に前記台座の前記表面の全面に亘って固設された裏面を有する第１接着剤と、
前記第１接着剤の前記裏面に並行対向する表面上に固設された底面及び前記底面に対向する露出された上面を有する主宝石と、
前記第１接着剤の前記表面及び前記主宝石の側面に固設されて前記第１接着剤の前記表面を全面的に被覆すると共に、前記第１接着剤の硬化時の強度よりも強い硬化時の強度を有する第２接着剤と
を備えていることを特徴とする、ネイル用アクセサリー。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
拡張可能支持部を配置するデバイスであって、
ハンドルと、
管腔を有して前記ハンドルから延びるカテーテルアセンブリと、
前記ハンドルから前記カテーテルアセンブリの管腔を通って延びるコアワイヤであって、前記ハンドルに接続された近位端、及び前記カテーテルアセンブリの遠位端から延びる遠位端を有するコアワイヤと、
前記カテーテルアセンブリの遠位端に接続された近位端、及び前記コアワイヤの遠位端に接続された遠位端を有する拡張可能支持部と
を含み、
前記カテーテルアセンブリは、前記ハンドル及び前記コアワイヤの双方に対して摺動可能である、デバイス。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
第１部材と、その第１部材に着脱可能に配設される第２部材とを備え、前記第１部材と前記第２部材との前面に遊技盤の遊技領域を形成する遊技機において、
前記第２部材の一部に正面視において少なくとも一部が重なる状態で前記第１部材に配設可能に構成される第３部材を備え、
前記第１部材、前記第２部材および前記第３部材は、前記第３部材が最も正面側に配設可能に構成され、
前記第３部材が少なくとも前記第１部材に配設された状態で前記第２部材が取り外し可能に構成され、
前記第３部材は、前記第１部材に前記第２部材が配設された状態で移動可能に前記第１部材に配設され、
前記第２部材は、前記第３部材が退避した状態において前記第１部材から取り外し可能に構成されることを特徴とする遊技機。
【手続補正２】
【補正対象書類名】明細書
【補正対象項目名】０００２
【補正方法】変更
【補正の内容】
【０００２】
パチンコ機等の遊技機において、第１部材と、その第１部材に配設される第２部材とを備える遊技機が知られている（特許文献１）。
【手続補正３】
【補正対象書類名】明細書
【補正対象項目名】０００４
【補正方法】変更
【補正の内容】
【０００４】
しかしながら、上述した遊技機では、第１部材に第２部材が配設される構成において改善の余地があった。
【手続補正４】
【補正対象書類名】明細書
【補正対象項目名】０００５
【補正方法】変更
【補正の内容】
【０００５】
本発明は、上記例示した問題点を解決するためになされたものであり、第１部材に第２部材が配設される構成において改善できる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、第１部材と、その第１部材に着脱可能に配設される第２部材とを備え、前記第１部材と前記第２部材との前面に遊技盤の遊技領域を形成するものであり、前記第２部材の一部に正面視において少なくとも一部が重なる状態で前記第１部材に配設可能に構成される第３部材を備え、前記第１部材、前記第２部材および前記第３部材は、前記第３部材が最も正面側に配設可能に構成され、前記第３部材が少なくとも前記第１部材に配設された状態で前記第２部材が取り外し可能に構成され、前記第３部材は、前記第１部材に前記第２部材が配設された状態で移動可能に前記第１部材に配設され、前記第２部材は、前記第３部材が退避した状態において前記第１部材から取り外し可能に構成される。
【手続補正６】
【補正対象書類名】明細書
【補正対象項目名】０００９
【補正方法】変更
【補正の内容】
【０００９】
請求項１記載の遊技機によれば、第１部材に第２部材が配設される構成において改善できる。
【手続補正７】
【補正対象書類名】明細書
【補正対象項目名】０７６７
【補正方法】変更
【補正の内容】
【０７６７】
１０                          パチンコ機（遊技機）
１３                          遊技盤
６０                          ベース板（第１部材）
２４００，１８４００          第１入賞部材（第２部材）
２５００，１９５００          第２入賞部材（第３部材）
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
ヒストンH3のリジン9（H3K9me3）のメチル化の減少したレベルを含む細胞。
【請求項２】
リジン特異的デメチラーゼ4D（KDM4D）の増加した発現を含む細胞。
【請求項３】
以下を含む発現ベクターを含む請求項2記載の細胞：
（a）KDM4Dをコードする核酸配列；
（b）該核酸配列に機能的に連結された、KDM4Dの過剰発現をもたらす組織特異的プロモーター；および
（c）KDM4Dの過剰発現を誘導的に抑制する調節エレメント。
【請求項４】
前記細胞が心臓組織に由来するか、または前記細胞が心筋細胞（CM）であり、任意で、前記組織特異的プロモーターが心臓組織に特異的であり、かつ前記細胞がCMである、請求項1〜3のいずれか一項記載の細胞。
【請求項５】
KDM4Dを介してCM中のH3K9me3のレベルを減少させる段階を含む、インビトロで心筋細胞（CM）を増殖させる方法。
【請求項６】
以下を含む発現ベクター：
（a）KDM4Dをコードする核酸配列；
（b）該核酸配列に機能的に連結された、KDM4Dの過剰発現をもたらす組織特異的プロモーター；および
（c）器官または組織の再生によって治療可能な疾患／状態の治療における使用のための、KDM4Dの過剰発現を誘導的に抑制する調節エレメント。
【請求項７】
哺乳動物における器官の機能の改善における使用のための、請求項1〜4のいずれか一項記載の細胞。
【請求項８】
前記組織が心臓、筋肉、脳、膵臓、または肝臓である、請求項6記載の使用のためのベクターまたは請求項7記載の使用のための細胞。
【請求項９】
心筋細胞（CM）におけるヒストンH3のリジン9（H3K9me3）レベルを減少させる段階を含む、インビトロで心臓の再生を促進する方法。
【請求項１０】
成体心筋細胞（ACM）の細胞周期関連遺伝子のサイレンシングの制御における使用のためのH3K9me3デメチラーゼ。
【請求項１１】
ヒストンH3のリジン9（H3K9me3）のトリメチル化の減少を含む、心筋細胞（CM）の細胞周期進行を亢進する方法。
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による特定操作の受付けが許容される受付状態を発生可能であり、該受付状態において受付けがなされると、該受付状態の種別に応じた受付後表示を表示させる受付状態実行手段と
を備え、
前記受付状態として、第１受付状態及び第２受付状態を含む複数種別の受付状態が用意されており、
前記第１受付状態は、特定ＢＧＭが可聴出力されているなかで発生しうるものであり、当該第１受付状態において前記特定ＢＧＭが可聴出力されているなかで受付けがなされるとこれを契機として前記特定ＢＧＭが非可聴にされ、
前記第２受付状態は、前記特定ＢＧＭが非可聴の状態にされているなかで発生しうるものであり、当該第２受付状態において受付けがなされたとしてもこれを契機として前記特定ＢＧＭが可聴出力されることはないようになっており、
前記第１受付状態が発生した以降に遊技者による特定操作の受付けがなされなくても、所定タイミングが到来すると前記特定ＢＧＭは非可聴にされ、該特定ＢＧＭが非可聴にされている状況においても遊技者による特定操作の受付けは許容されており、
さらに、
前記受付状態では、遊技者による特定操作の対象となる対象物が画像として表現された摸画像表示が表示される場合があり、
前記受付状態において前記摸画像表示の周期的変化が所定時間単位で現れるように表示されている場合、該摸画像表示に対応する特定操作の対象は、複数回の特定操作の受付けが許容されている状態にあるが、前記受付状態において前記摸画像表示の周期的変化が所定時間よりも長い時間単位で現れるように表示されている場合、該摸画像表示に対応する特定操作の対象は、複数回の特定操作の受付けが許容されている状態にある場合と、１回の特定操作の受付けだけが許容されている状態にある場合との両方がある
ことを特徴とする遊技機。
【手続補正２】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
遊技者による特定操作の受付けが許容される受付状態を発生可能であり、該受付状態において受付けがなされると、該受付状態の種別に応じた受付後表示を表示させる受付状態実行手段と
を備え、
前記受付状態として、第１受付状態及び第２受付状態を含む複数種別の受付状態が用意されており、
前記第１受付状態は、特定ＢＧＭが可聴出力されているなかで発生しうるものであり、当該第１受付状態において前記特定ＢＧＭが可聴出力されているなかで受付けがなされるとこれを契機として前記特定ＢＧＭが非可聴にされ、
前記第２受付状態は、前記特定ＢＧＭが非可聴の状態にされているなかで発生しうるものであり、当該第２受付状態において受付けがなされたとしてもこれを契機として前記特定ＢＧＭが可聴出力されることはないようになっており、
前記第１受付状態が発生した以降に遊技者による特定操作の受付けがなされなくても、所定タイミングが到来すると前記特定ＢＧＭは非可聴にされ、該特定ＢＧＭが非可聴にされている状況においても遊技者による特定操作の受付けは許容されており、
さらに、
前記受付状態では、遊技者による特定操作の対象となる対象物が画像として表現された摸画像表示が表示される場合があり、
前記受付状態において前記摸画像表示の周期的変化が所定時間単位で現れるように表示されている場合、該摸画像表示に対応する特定操作の対象は、複数回の特定操作の受付けが許容されている状態にあるが、前記受付状態において前記摸画像表示の周期的変化が所定時間よりも長い時間単位で現れるように表示されている場合、該摸画像表示に対応する特定操作の対象は、複数回の特定操作の受付けが許容されている状態にある場合と、１回の特定操作の受付けだけが許容されている状態にある場合との両方がある
ことを特徴とする遊技機。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
癌を治療するか、又は被験体における抗腫瘍応答を開始、強化、又は延長する方法において使用するための複合体であって、
ａ）細胞透過性ペプチドと、
ｂ）少なくとも１つの抗原又は抗原エピトープと、
ｃ）少なくとも１つのＴＬＲペプチドアゴニストと
を含み、
前記成分ａ）〜ｃ）が、共有結合していることを特徴とする複合体。
【請求項２】
前記少なくとも１つの抗原又は抗原エピトープが、少なくとも１つの腫瘍エピトープを含む請求項１に記載の使用のための複合体。
【請求項３】
前記被験体が、癌を有する請求項１から２のいずれかに記載の使用のための複合体。
【請求項４】
前記癌が、固形腫瘍、血液癌、又はリンパ性癌である請求項１から３のいずれかに記載の使用のための複合体。
【請求項５】
前記癌が、脳癌、前立腺癌、乳癌、卵巣癌、食道癌、肺癌、肝臓癌、腎臓癌、メラノーマ、腸癌腫、肺癌腫、頭頸部扁平上皮癌腫、慢性骨髄白血病、結腸直腸癌腫、胃癌腫、子宮内膜癌腫、骨髄性白血病、肺扁平上皮癌腫、急性リンパ性白血病、急性骨髄性白血病、膀胱腫瘍、前骨髄球性白血病、非小細胞肺癌腫、及び肉腫から選択される請求項１から４のいずれかに記載の使用のための複合体。
【請求項６】
前記癌が、聴神経鞘腫、肛門癌腫、星状細胞腫、基礎細胞癌、ベーチェット症候群、膀胱癌、芽腫、骨癌、脳転移、脳腫瘍、脳癌（神経膠芽腫）、乳癌（乳房癌腫）、バーキットリンパ腫、カルチノイド、頸癌、結腸癌腫、結腸直腸癌、内体癌腫、頭蓋咽頭腫、ＣＵＰ症候群、子宮内膜癌腫、胆嚢癌、泌尿生殖管の癌を含む生殖器腫瘍、神経膠芽腫、神経膠腫、頭部／頸部腫瘍、ヘパトーム、組織球増殖性リンパ腫、ホジキン症候群又はリンパ腫、及び非ホジキンリンパ腫、下垂体腫瘍、小腸癌の腫瘍を含む腸癌、及び胃腸癌、カポージ肉腫、腎臓癌、腎臓癌腫、喉頭癌又はこう頭癌；急性骨髄性白血病（ＡＭＬ）、赤白血病、急性リンパ球性白血病（ＡＬＬ）、慢性骨髄性白血病（ＣＭＬ）、及び慢性リンパ球性白血病（ＣＬＬ）を含む白血病；眼瞼腫瘍、肝臓癌、肝臓転移、肺癌腫（＝肺癌＝気管支癌腫）、小細胞肺癌腫及び非小細胞肺癌腫、及び肺腺癌、リンパ腫、リンパ腺癌、悪性黒色腫、乳房癌腫（＝乳癌）、髄芽腫、黒色腫、髄膜腫、菌状息肉腫、新生物性疾患鞘腫、食道癌、食道癌腫（＝食道癌）、希突起神経膠腫、卵巣癌（＝卵巣癌腫）、卵巣癌腫、膵臓癌腫（＝膵臓癌）、陰茎癌、ペニス癌、咽頭癌、下垂体腫瘍、形質細胞腫、前立腺癌（＝前立腺腫瘍）、直腸癌腫、直腸腫瘍、腎臓癌、腎臓癌腫、網膜芽腫、肉腫、シュナイダー病；基底細胞及び扁平上皮癌腫を含む皮膚癌、例えば黒色腫又は非黒色腫皮膚癌；軟組織腫瘍、棘細胞腫、胃癌、精巣癌、咽喉癌、胸腺腫、甲状腺癌腫、舌癌、尿道癌、子宮癌、膣癌；例えば乳頭腫ウイルス誘導性癌腫（例えば、子宮頸癌腫＝子宮頸癌）、腺癌、ヘルペスウイルス誘導性腫瘍（例えば、バーキットリンパ腫、ＥＢＶ誘導性Ｂ細胞リンパ腫、頸癌腫）、Ｂ型肝炎誘導性腫瘍（肝細胞癌腫）、ＨＴＬＶ−１及びＨＴＬＶ−２誘導性リンパ腫のようなウイルス誘導性腫瘍；、及び外陰部癌から選択される請求項１から５のいずれかに記載の使用のための複合体。
【請求項７】
被験体において、ＣＤ４＋ヘルパーＴ細胞及び／又はＣＤ８＋細胞傷害性Ｔ細胞に依存する１つ又は複数のエピトープに対する免疫応答を惹起又は改善する方法において使用するための複合体であって、
ａ）細胞透過性ペプチドと、
ｂ）少なくとも１つの抗原又は抗原エピトープと、
ｃ）少なくとも１つのＴＬＲペプチドアゴニストと
を含み、
前記成分ａ）〜ｃ）が、共有結合していることを特徴とする複合体。
【請求項８】
前記免疫応答は、腫瘍関連抗原又は腫瘍特異的抗原の１つ又は複数のエピトープに対するものである請求項７に記載の使用のための複合体。
【請求項９】
前記複合体は、癌の治療及び／又は安定化、及び／又は癌の再発の予防のための他の治療レジメン又は助剤の前、同時、又は後に被験体に投与される請求項１から８のいずれかに記載の使用のための複合体。
【請求項１０】
感染性疾患の予防、治療及び／又は改善の方法において使用するための複合体であって、
ａ）細胞透過性ペプチドと、
ｂ）少なくとも１つの抗原又は抗原エピトープと、
ｃ）少なくとも１つのＴＬＲペプチドアゴニストと
を含み、
前記成分ａ）〜ｃ）が、共有結合していることを特徴とする複合体。
【請求項１１】
前記少なくとも１つの抗原又は抗原エピトープが、少なくとも１つの病原体エピトープを含むか又はからなる請求項１０に記載の使用のための複合体。
【請求項１２】
前記少なくとも１つの抗原又は抗原エピトープが、ウイルス、特に重症急性呼吸器症候群（ＳＡＲＳ）又はＳＡＲＳ関連コロナウイルスに由来する抗原又は抗原エピトープである請求項１０から１１のいずれかに記載の使用のための複合体。
【請求項１３】
感染性疾患がウイルス感染性疾患、特にＳＡＲＳ又はＳＡＲＳ関連コロナウイルス疾患である請求項１２に記載の使用のための複合体。
【請求項１４】
前記複合体は、ポリペプチド又はタンパク質である請求項１から１３のいずれかに記載の使用のための複合体。
【請求項１５】
前記細胞透過性ペプチドが、配列番号６（ＣＰＰ３／Ｚ１３）、配列番号７（ＣＰＰ４／Ｚ１４）、配列番号８（ＣＰＰ５／Ｚ１５）、若しくは配列番号１１（ＣＰＰ８／Ｚ１８）に係るアミノ酸配列を含むか若しくはからなるアミノ酸配列を有する請求項１から１４のいずれかに記載の使用のための複合体。
【請求項１６】
前記複合体が、１超の抗原又は抗原エピトープ、特に、２個、３個、４個、５個、６個、７個、８個、９個、１０個、又はそれ以上の抗原又は抗原エピトープを含む請求項１から１５のいずれかに記載の使用のための複合体。
【請求項１７】
前記少なくとも１つのＴＬＲペプチドアゴニストが、ＴＬＲ２ペプチドアゴニスト及び／又はＴＬＲ４ペプチドアゴニストである請求項１から１６のいずれかに記載の使用のための複合体。
【請求項１８】
前記少なくとも１つのＴＬＲペプチドアゴニストが、配列番号１５に係るアミノ酸配列又は前記ペプチドのＴＬＲアゴニスト能を抑制することなしに少なくとも９０％の配列同一性を共有するその配列変異体を含むか又はからなる請求項１から１７のいずれかに記載の使用のための複合体。
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
下記式（１）で示される構造を有することを特徴とする色素化合物。
【化１】
2018131617.tif 000001
［式（１）中、Ｒ１は、アルキル基を示し、
Ｒ２は、水素原子又はアルキル基を示し、
Ｒ３は、アルキル基、無置換のアリール基、置換基を有するアリール基又はアミノ基を示し、
Ｒ４は、水素原子、アルキル基、又はアルコキシ基を示し、
Ｘは、カルボニル基又はスルホニル基を示す。］
【請求項２】
前記式（１）中のＲ１とＲ２とが同じアルキル基である請求項１に記載の色素化合物。
【請求項３】
基材と、該基材上に色材層とを有する感熱転写記録用シートであって、
該色材層は、イエロー染料を含有するイエロー染料層、マゼンタ染料を含有するマゼンタ染料層、及びシアン染料を含有するシアン染料層を有し、
該イエロー染料が、下記式（１）で示される構造又は下記式（２）で示される構造を有する化合物から選ばれる少なくとも１種の化合物を含み、
該シアン染料が、下記式（３）で示される構造又は下記式（４）で示される構造を有する化合物から選ばれる少なくとも１種の化合物を含む、ことを特徴とする感熱転写記録用シート。
【化３】
2018131617.tif 000002
［式（１）中、Ｒ１は、アルキル基を示し、
Ｒ２は、水素原子又はアルキル基を示し、
Ｒ３は、アルキル基、無置換のアリール基、置換基を有するアリール基又はアミノ基を示し、
Ｒ４は、水素原子、アルキル基、又はアルコキシ基を示し、
Ｘは、カルボニル基又はスルホニル基を示す。］
【化４】
2018131617.tif 000003
［式（２）中、Ｒ５は、アルキル基を示し、
Ｒ６は、水素原子又はアルキル基を示し、
Ｒ７及びＲ８は、各々独立して、アルキル基を示し、
Ｙは、カルボニル基又はスルホニル基を示す。］
【化５】
2018131617.tif 000004
［式（３）中、Ｒ９及びＲ１０は、それぞれ独立して、アルキル基、無置換のアリール基又は置換基を有するアリール基を示す。］
【化６】
2018131617.tif 000005
［式（４）中、Ｒ１１〜Ｒ１５は、それぞれ独立して、アルキル基、無置換のアリール基又は置換基を有するアリール基を示す。］
【請求項４】
前記式（１）中のＲ１とＲ２とが同じアルキル基である請求項３に記載の感熱転写記録用シート。
【請求項５】
前記式（２）中のＲ５とＲ６とが同じアルキル基である請求項３または４に記載の感熱転写記録用シート。
【請求項６】
前記式（２）中のＲ７とＲ８とが炭素数１〜８の同じアルキル基である請求項３乃至５のいずれか１項に記載の感熱転写記録用シート。
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
Ｃ型肝炎ウイルス（ＨＣＶ）感染を処置する方法において使用するための化合物１および／または化合物２を含む医薬組成物であって、２００−６００ｍｇの化合物１または医薬として許容されるその塩が１日１回、および１００−５００ｍｇの化合物２または医薬として許容されるその塩が１日１回、ＨＣＶに感染した患者に投与され、前記処置が前記患者へのインターフェロンまたはリバビリンの投与を含まず、前記処置が８週間、１２週間、または１６週間続き、化合物１は、
【化１】
2018131439.tif 000001
であり、化合物２は、
【化２】
2018131439.tif 000002
であり、前記患者はＨＩＶ共感染を有する、医薬組成物。
【請求項２】
前記処置が１２週間続く、請求項１に記載の医薬組成物。
【請求項３】
前記処置が８週間続く、請求項１に記載の医薬組成物。
【請求項４】
前記処置が１６週間続く、請求項１に記載の医薬組成物。
【請求項５】
前記患者が３００ｍｇの化合物１を１日１回、および１２０ｍｇの化合物２を１日１回投与される、請求項１〜４のいずれか一項に記載の医薬組成物。
【請求項６】
前記患者が非肝硬変である、請求項１〜５のいずれか一項に記載の医薬組成物。
【請求項７】
前記患者が代償性肝硬変を有している、請求項１〜５のいずれか一項に記載の医薬組成物。
【請求項８】
前記患者がＨＣＶ遺伝子型１に感染している、請求項１〜５のいずれか一項に記載の医薬組成物。
【請求項９】
前記患者がＨＣＶ遺伝子型２に感染している、請求項１〜５のいずれか一項に記載の医薬組成物。
【請求項１０】
前記患者がＨＣＶ遺伝子型３に感染している、請求項１〜５のいずれか一項に記載の医薬組成物。
【請求項１１】
前記患者がＨＣＶ遺伝子型４に感染している、請求項１〜５のいずれか一項に記載の医薬組成物。
【請求項１２】
前記患者がＨＣＶ遺伝子型５に感染している、請求項１〜５のいずれか一項に記載の医薬組成物。
【請求項１３】
前記患者がＨＣＶ遺伝子型６に感染している、請求項１〜５のいずれか一項に記載の医薬組成物。
【請求項１４】
ＨＣＶ感染を処置する方法において使用するための化合物１および／または化合物２を含む医薬組成物であって、２００−６００ｍｇの化合物１または医薬として許容されるその塩が１日１回、および１００−５００ｍｇの化合物２または医薬として許容されるその塩が１日１回、ＨＣＶに感染した患者に投与され、前記処置が前記患者へのインターフェロンまたはリバビリンの投与を含まず、前記処置が１６週間続き、化合物１は、
【化３】
2018131439.tif 000003
であり、化合物２は、
【化４】
2018131439.tif 000004
であり、前記患者はＨＩＶ共感染を有する、医薬組成物。
【請求項１５】
前記患者が３００ｍｇの化合物１を１日１回、および１２０ｍｇの化合物２を１日１回投与される、請求項１４に記載の医薬組成物。
【請求項１６】
前記患者がＨＣＶ遺伝子型１に感染している、請求項１４または１５に記載の医薬組成物。
【請求項１７】
前記患者がＨＣＶ遺伝子型２に感染している、請求項１４または１５に記載の医薬組成物。
【請求項１８】
前記患者がＨＣＶ遺伝子型３に感染している、請求項１４または１５に記載の医薬組成物。
【請求項１９】
前記患者がＨＣＶ遺伝子型４に感染している、請求項１４または１５に記載の医薬組成物。
【請求項２０】
前記患者がＨＣＶ遺伝子型５に感染している、請求項１４または１５に記載の医薬組成物。
【請求項２１】
前記患者がＨＣＶ遺伝子型６に感染している、請求項１４または１５に記載の医薬組成物。
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
上面を開口した収納部と、
前記収納部の上縁から外側に突出する環状の内フランジ部と、
前記内フランジ部の外側に連設される環状の外フランジ部と、
前記内フランジ部と前記外フランジ部との間に切り離し可能な連結部を介して周方向に並設される複数のスリットと、
を備えた樹脂成形品の容器において、
前記スリットの間隔が前記連結部よりも大きい一対のヒンジ部を前記内フランジ部の角部に沿って配される前記スリットの両端部に設けるとともに、各前記ヒンジ部の両端から前記スリットに交差する方向に延びた切込みから成る延設部を設けたことを特徴とする容器。
【請求項２】
各前記ヒンジ部の両端に対向する前記延設部が略平行に形成され、前記ヒンジ部間の前記スリットと前記延設部との角度が鋭角であることを特徴とする請求項１に記載の容器。
【請求項３】
上面を開口した収納部と、
前記収納部の上縁から外側に突出する環状の内フランジ部と、
前記内フランジ部の外側に連設される環状の外フランジ部と、
前記内フランジ部と前記外フランジ部との間に切り離し可能な連結部を介して周方向に並設される複数のスリットと、
を備えた樹脂成形品の容器において、
前記スリットの間隔が前記連結部よりも大きい一対のヒンジ部を前記内フランジ部の角部に沿って配される前記スリットの両端部に設けるとともに、前記ヒンジ部間の前記スリットの内周側に下方に突出する複数のリブを設けたことを特徴とする容器。
【請求項４】
前記内フランジ部と前記外フランジ部との間に凹部が設けられ、前記凹部内に前記スリットが配されることを特徴とする請求項１〜請求項３のいずれかに記載の容器。
【請求項５】
前記凹部の幅が前記凹部の深さよりも大きいことを特徴とする請求項４に記載の容器。
【請求項６】
前記外フランジ部の上面が内側を下方に傾斜することを特徴とする請求項１〜請求項５のいずれかに記載の容器。
【請求項７】
前記内フランジ部の上面が内側を下方に傾斜することを特徴とする請求項１〜請求項６のいずれかに記載の容器。
【請求項８】
少なくとも一部の前記スリットが波形に形成されることを特徴とする請求項１〜請求項７のいずれかに記載の容器。
【請求項９】
前記ヒンジ部に対向して波形の前記スリットを設けたことを特徴とする請求項８に記載の容器。
【請求項１０】
前記内フランジ部が曲線状の角部を有した略矩形に形成され、対向する一対の前記角部の一方に沿って前記ヒンジ部を設けるとともに、他方に沿って波形の前記スリットを設けたことを特徴とする請求項９に記載の容器。
【請求項１１】
前記内フランジ部が略矩形に形成され、前記内フランジ部の一対の長辺に沿って配される前記スリットの内周面が内側に凸に湾曲することを特徴とする請求項１〜請求項１０のいずれかに記載の容器。
【請求項１２】
請求項１〜請求項１１のいずれかに記載の容器と、前記容器を密封する蓋とを備えたことを特徴とする蓋付容器。
【手続補正２】
【補正対象書類名】明細書
【補正対象項目名】００６１
【補正方法】変更
【補正の内容】
【００６１】
図１３は蓋５０を容器１５に熱接着した蓋付容器１０の内フランジ部２５及び外フランジ部３０の側面断面図を示している。蓋５０を熱接着する際に外フランジ部３０は弾性によって内フランジ部２５と同じ高さに配され、内フランジ部２５の上面２５ｂ及び外フランジ部３０の上面３０ｂは水平に配される。これにより、外フランジ部３０は蓋５０を上方に付勢する。また、外フランジ部３０は屈曲部３４とともに回動し、屈曲部３４が下方に付勢される。
【手続補正３】
【補正対象書類名】明細書
【補正対象項目名】００６５
【補正方法】変更
【補正の内容】
【００６５】
内フランジ部２５は水平に配され、外フランジ部３０は断面Ｌ字状の屈曲部３５を介して内フランジ部２５に連設される。これにより、外フランジ部３０は内フランジ部２５よりも上方に配される。屈曲部３５は内フランジ部２５と同じ面内に配される水平部分から鈍角を形成するように屈曲して外フランジ部３０と同じ面内に配される。屈曲部３５の水平部分にスリット３２が形成される。
【手続補正４】
【補正対象書類名】明細書
【補正対象項目名】００８８
【補正方法】変更
【補正の内容】
【００８８】
また、対向する延設部３２ｂ、３２ｃが略平行に形成され、一対のヒンジ部２２間のスリット３２と延設部３２ｃとの角度αを鋭角にした。これにより、延設部３２ｂ、３２ｃが外フランジ部３０の回動軸に平行に近づけられ、延設部３２ｂ、３２ｃをより容易に捻ることができる。